(57)【特許請求の範囲】
【請求項１】
ユーザによる操作に応じて無線電波を送信する携帯キーであって、
第１方向を長手方向とし前記第１方向に対して垂直な第２方向を短手方向とする略矩形の形態であり、前記第１方向及び前記第２方向に対して垂直な第３方向に開口する開口部を有し、前記開口部まわりに内部側に向けて前記第３方向に突出するガイド部を有する筐体と、
前記筐体から前記開口部を介して露出する操作部、及び、前記筐体の内部側の表面における前記開口部まわりに前記第３方向に当接するフランジ部を有する操作ノブと、
前記ガイド部及び前記フランジ部は、前記第１方向で対向かつ近接する個所を有し、該個所における前記フランジ部は、外Ｒ形状で形成された第１部位を有し、該個所における前記ガイド部は、前記第３方向に視て、前記第１方向に対して傾斜した第４方向に延在する、携帯キー。
【請求項２】
前記第４方向は、前記第３方向に視て、前記第１方向に対して約４５度をなす、請求項１に記載の携帯キー。
【請求項３】
前記フランジ部の角部は、前記第１部位と、内Ｒ形状で形成された第２部位と、外Ｒ形状で形成された第３部位とを備え、
前記第２部位は、前記第１部位と前記第３部位との間に形成される、請求項１又は２に記載の携帯キー。
【請求項４】
前記操作ノブは、前記第２方向を長手方向とし前記第１方向を短手方向とする略矩形の形態である、請求項１〜３のうちのいずれか１項に記載の携帯キー。
【請求項５】
前記操作ノブは、複数設けられる、請求項１〜４のうちのいずれか１項に記載の携帯キー。
【発明の詳細な説明】
【技術分野】
【０００１】
本開示は、携帯キーに関する。
【背景技術】
【０００２】
操作部が筐体の開口部を介して露出する操作ノブを備える携帯キーが知られている。
【先行技術文献】
【特許文献】
【０００３】
【特許文献１】特開2011-042989公報
【発明の概要】
【発明が解決しようとする課題】
【０００４】
しかしながら、上記のような従来技術では、携帯キーを落下させてしまった場合など、操作ノブが破断し易いという問題点がある。操作ノブは、筐体内においてフランジ部を備えており、筐体外への抜けが防止されているが、フランジ部は薄肉であり、筐体側のガイド部に当たると破断しやすい。【０００５】
そこで、１つの側面では、本発明は、携帯キーの落下時などにおける操作ノブの破断を低減することを目的とする。
【課題を解決するための手段】
【０００６】
１つの側面では、ユーザによる操作に応じて無線電波を送信する携帯キーであって、
第１方向を長手方向とし前記第１方向に対して垂直な第２方向を短手方向とする略矩形の形態であり、前記第１方向及び前記第２方向に対して垂直な第３方向に開口する開口部を有し、前記開口部まわりに内部側に向けて前記第３方向に突出するガイド部を有する筐体と、
前記筐体から前記開口部を介して露出する操作部、及び、前記筐体の内部側の表面における前記開口部まわりに前記第３方向に当接するフランジ部を有する操作ノブと、
前記ガイド部及び前記フランジ部は、前記第１方向で対向かつ近接する個所を有し、該個所における前記フランジ部は、外Ｒ形状で形成された第１部位を有し、該個所における前記ガイド部は、前記第３方向に視て、前記第１方向に対して傾斜した第４方向に延在する、携帯キーが提供される。
【発明の効果】
【０００７】
１つの側面では、本発明によれば、携帯キーの落下時などにおける操作ノブの破断を低減することが可能となる。
【図面の簡単な説明】
【０００８】
【図１】一実施例による携帯キーの外観を示す斜視図である。
【図２】上ケースや操作ノブ等を取り外した状態の携帯キーの斜視図である。
【図３】上ケースや、操作ノブ、防水シート等を取り外した状態の携帯キーの斜視図である。
【図４】操作ノブの斜視図である。
【図５】操作ノブを内部側（Ｚ２側）から視た平面図である。
【図６】上ケースを内部側（Ｚ２側）から視た平面図である。
【図７】操作ノブ及び上ケースを内部側（Ｚ２側）から視た平面図である。
【図８】ノブガイド部材の単品状態を示す平面図である。
【図９】図７のラインＡ−Ａの沿った断面図である。
【図１０】図７のラインＢ−Ｂの沿った断面図である。
【図１１】図７のＣ部の拡大図である。
【図１２】比較例の説明図である。
【図１３】比較例における破断の発生メカニズムの説明図である。
【図１４】本実施例による衝撃分散効果の説明図である。
【図１５】本実施例の複数の適用箇所の一例を示す図である。
【図１６】変形例の説明図である。
【発明を実施するための形態】
【０００９】
以下、添付図面を参照しながら各実施例について詳細に説明する。
【００１０】
図１は、一実施例による携帯キー１の外観を示す斜視図である。図１には、直交する３軸Ｘ，Ｙ，Ｚが定義されている。また、Ｘ，Ｙ，Ｚ軸のそれぞれには、それぞれの側がＸ１，Ｘ２等で示される。Ｚ軸は、携帯キー１の厚み方向に対応し、Ｘ軸は、携帯キー１の長手方向に対応し、Ｙ軸は、携帯キー１の短手方向に対応する。
【００１１】
携帯キー１は、車両のユーザに携帯されるキーである。携帯キー１は、キーレスエントリシステムやスマートキーレスエントリシステム等で用いられる電子キーである。
【００１２】
携帯キー１は、筐体１０と、操作ノブ３０とを含む。
【００１３】
筐体１０は、Ｘ方向（第１方向の一例）を長手方向としてＹ方向（第２方向の一例）を短手方向とする略矩形の形態である。"略矩形"とは、矩形の角に角アールなどを有してもよい概念である。筐体１０は、例えば上ケース１０ａと下ケース１０ｂとを含む。筐体１０は、上ケース１０ａと下ケース１０ｂを嵌め合せることで一体化される。
【００１４】
筐体１０の上ケース１０ａは、Ｚ方向（第３方向の一例）に開口する開口部１２を有する。開口部１２には、操作ノブ３０が設けられる。
【００１５】
操作ノブ３０は、ユーザにより操作されるスイッチの形態である。操作ノブ３０は、樹脂材料（例えばアクリル樹脂）により形成される。操作ノブ３０は、例えば複数個設けられる。操作ノブ３０のそれぞれには各種機能が割り当てられる。各種機能は、例えばドアロック、ドアアンロック、トランク開閉等の機能である。
【００１６】
本実施例では、一例として、操作ノブ３０は、４つあり、Ｘ２側の操作ノブ３０は、Ｙ方向を長手方向としてＸ方向を短手方向とする矩形の形態であり、Ｘ方向の中央の操作ノブ３０も、Ｙ方向を長手方向としてＸ方向を短手方向とする略矩形の形態である。他方、Ｙ方向に２つ並んで設けられたＸ１側の操作ノブ３０は、Ｘ２側の操作ノブ３０に対してＹ方向の長さが約半分であり、略正方形の形態である。
【００１７】
操作ノブ３０は、筐体１０の開口部１２を介して露出する操作部３２を備える。尚、操作部３２の表面には、対応する操作ノブ３０の機能を表す絵などが付与されてもよい。操作ノブ３０は、Ｚ方向に可動であり、Ｚ２側に押されることで操作される。
【００１８】
図２及び図３は、携帯キー１の内部を示す斜視図であり、図２は、上ケース１０ａや操作ノブ３０等を取り外した状態の斜視図であり、図３は、上ケース１０ａや、操作ノブ３０、防水シート５０等を取り外した状態の斜視図である。
【００１９】
筐体１０の内部には、防水シート５０を介して、各種の電子部品が設けられる。図３に示す例では、電子部品７０はアンテナであり、電子部品７２はバッテリである。例えば、アンテナである電子部品７０は、操作ノブ３０が操作されてタクトスイッチ（図示せず）（電子部品の他の一例）がオンすると、所定のワイヤレス信号を送信する。
【００２０】
防水シート５０は、ラバーシート（ゴム材料のシート）により形成され、筐体１０の内部の各種の電子部品に対する防水機能を果たす。防水シート５０は、上ケース１０ａ及び操作ノブ３０に対してＺ２側から隣接する態様で設けられ、略ＸＹ平面内に延在する。略ＸＹ平面内に延在とは、完全な平らな形態ではなく、凹凸を有することを意味する。尚、図２に示す例では、防水シート５０は、タクトスイッチ用のドーム状部位５２を備える。防水シート５０は、携帯キー１の外形に対応した外形を有し、外周部がＺ方向で上ケース１０ａと下ケース１０ｂとの間に挟まれて保持される。この際、防水シート５０は、弾性変形した状態で保持されることで、防水機能を発現する。
【００２１】
次に、図４以降を参照して、操作ノブ３０及び上ケース１０ａについて更に詳しく説明する。
【００２２】
図４及び図５は、一の操作ノブ３０の単品図であり、図４は、Ｚ１側から視た斜視図であり、図５は、Ｚ２側から視た平面図である。図４及び図５では、代表として、複数の操作ノブ３０のうちの、Ｘ方向でＸ２側の操作ノブ３０が示される。
【００２３】
操作ノブ３０は、操作部３２と、フランジ部３４とを含む。
【００２４】
操作部３２は、上述したように、上ケース１０ａの開口部１２を介して露出する部位であり、操作時にユーザの指が触れて押される部位である。
【００２５】
フランジ部３４は、筐体１０の内部側に位置する部位である。フランジ部３４は、Ｚ方向に視て、操作部３２まわりに全周にわたり設けられる。フランジ部３４は、操作部３２のＺ２側の端部に位置し、ＸＹ平面内に延在する。フランジ部３４は、上ケース１０ａの内部側表面（Ｚ２側の表面）における開口部１２まわりにＺ方向に当接する。即ちフランジ部３４は、Ｚ１側の表面が上ケース１０ａの内部側表面（Ｚ２側の表面）にＺ方向に当接する（後出の図９参照）。フランジ部３４は、上ケース１０ａの開口部１２を介した操作ノブ３０の抜けを防止する機能を果たす。
【００２６】
フランジ部３４は、図５に示すように、４隅の角部３１０を有する。角部３１０は、内Ｒ形状で形成された内Ｒ部位３１１（第２部位の一例）と、外Ｒ形状で形成された外Ｒ部位３１２（第１部位の一例）と、外Ｒ形状で形成された外Ｒ部位３１３（第３部位の一例）とを含む。「内Ｒ」及び「外Ｒ」は、Ｚ方向に視てフランジ部３４の中心側を内側として定義されている。即ち、「内Ｒ」は、Ｚ方向に視てフランジ部３４の中心側に凹となる態様のＲであり、「外Ｒ」は、Ｚ方向に視てフランジ部３４の中心側から離れる側に凸となる態様のＲである。外Ｒ部位３１２，３１３は、内Ｒ部位３１１の両側に位置する。尚、図４及び図５では、外Ｒ部位３１２，３１３の一部は、比較的小さい外Ｒ形状で形成されているが、製造上必要な外Ｒ形状で形成されているものとする。
【００２７】
図６は、上ケース１０ａを内部側（Ｚ２側）から視た平面図である。図７は、操作ノブ３０及び上ケース１０ａを内部側（Ｚ２側）から視た平面図である。図７には、ノブガイド部材９０についても図示されている。図８は、ノブガイド部材９０の単品状態を示す平面図である。図９は、図７のラインＡ−Ａの沿った断面図であり、図１０は、図７のラインＢ−Ｂの沿った断面図である。
【００２８】
上ケース１０ａは、図６に示すように、内部側の表面に開口部１２まわりにＺ方向に（Ｚ２側に）突出するガイド部１４を有する。ガイド部１４は、図７に示すように、操作ノブ３０のフランジ部３４の外周形状に沿って、フランジ部３４まわりに設けられる。ガイド部１４は、Ｚ方向に突出することで、操作時における操作ノブ３０のＺ方向の変位をガイドする。尚、図７に示す例では、ガイド部１４は、フランジ部３４まわりの全周にわたり設けられていないが、フランジ部３４まわりの全周にわたり設けられてもよい。
【００２９】
ガイド部１４は、図９及び図１０に示すように、ＸＹ平面内においてフランジ部３４に対して僅かにクリアランスを有する。ただし、操作ノブ３０は、ＸＹ平面内において開口部１２に対してもクリアランスを有するため、操作ノブ３０が開口部１２に対するクリアランスに起因して変位すると、ガイド部１４とフランジ部３４とはＸＹ平面内で当たる場合がある。
【００３０】
本実施例では、一例として、ノブガイド部材９０が設けられる。ノブガイド部材９０は、上ケース１０ａに固定され、筐体１０を形成する。ノブガイド部材９０は、図７及び図８に示すように、ガイド部１４と同様の機能を果たすガイド部９４を備える。ノブガイド部材９０は、梁部９２，９３，９６を有する。梁部９２は、Ｘ方向のＸ２側の操作ノブ３０とＸ方向の中央の操作ノブ３０との間に、Ｙ方向に延在し、梁部９３は、Ｘ方向の中央の操作ノブ３０と、Ｘ方向のＸ１側の操作ノブ３０とＸ方向の中央の操作ノブ３０との間に、Ｙ方向に延在する。梁部９６は、Ｘ方向のＸ１側の２つの操作ノブ３０の間に、Ｘ方向に延在する。ノブガイド部材９０を備えることで、ＸＹ平面内における各操作ノブ３０のガタツキが低減される。
【００３１】
図１１は、図７のＣ部の拡大図である。但し、図１１では、ノブガイド部材９０の図示は省略されており、上ケース１０ａのガイド部１４と操作ノブ３０のフランジ部３４との詳細な形状関係を示す。
【００３２】
図１１に示すように、上ケース１０ａのガイド部１４と操作ノブ３０のフランジ部３４とは、Ｘ方向で対向かつ近接する個所Ｐ（以下、単に「近接箇所Ｐ」と称する）を有する。図１１では、代表として、２つの近接箇所Ｐが示される。近接箇所Ｐは、１つの操作ノブ３０に対して４隅の４か所同様に存在する。
【００３３】
近接箇所Ｐにおけるフランジ部３４は、図１１に示すように、外Ｒ形状で形成された外Ｒ部位３１２を有する。また、近接箇所Ｐにおけるガイド部１４は、図１１に示すように、平面視（Ｚ方向に視て）で、Ｘ方向に対して傾斜した方向Ｄ（第４方向の一例）に延在する。方向Ｄは、好ましくは、図１１に示すように、Ｘ方向に対して約４５度をなす。尚、図１１に示す例では、近接箇所Ｐにおけるガイド部１４の壁部１４１は、方向ＤにＹ２側（Ｙ方向でフランジ部３４から離れる側）へと延在する際に端点Ｅ１で終端しているが、図１１に示す端点Ｅ１を超えて更に延在してもよい。
【００３４】
次に、図１２乃至図１４を参照して、本実施例の効果について説明する。
【００３５】
図１２及び図１３は、比較例の説明図であり、図１２は、比較例による上ケースのガイド部２４１と操作ノブのフランジ部３４１との関係を示す図である。
【００３６】
比較例では、フランジ部３４１の形状に沿って一定のクリアランスでガイド部２４１が形成されている。従って、比較例では、図１２に示すように、フランジ部３４１の内Ｒ形状に沿ってガイド部２４１の外Ｒ形状が形成されている。
【００３７】
図１３は、比較例による携帯キーの落下時における操作ノブに加わる衝撃の伝達態様の説明図である。携帯キーの落下時は、筐体を介して操作ノブに衝撃が加わる。携帯キーは、比較的重量があり、かつ、操作ノブのフランジ部は薄肉であるため、操作ノブのフランジ部に衝撃が加わると、操作ノブのフランジ部が破断し易い。
【００３８】
比較例の場合、図１３に示すように、Ｘ方向に落下し、Ｘ１側で地面等に当たりＸ２側に衝撃が加わった場合を想定すると、フランジ部３４１には、図１３にて矢印Ｆで示すように、Ｘ方向でＸ２に向かう衝撃力が作用する。フランジ部３４１は、薄肉であるので、内Ｒ形状の部位３４２の中心付近の応力集中部には、衝撃力に起因して比較的大きな応力が発生し、破断へと至る（図１３に、破断のラインＣｒが模式的に示される）。
【００３９】
図１４は、本実施例による携帯キー１の落下時における操作ノブ３０に加わる衝撃の伝達態様の説明図である。
【００４０】
本実施例の場合、図１４に示すように、Ｘ方向に落下し、Ｘ１側で地面等に当たりＸ２側に衝撃が加わった場合を想定すると、フランジ部３４には、図１４にて矢印Ｆ１で示すように、衝撃力が作用する。このとき衝撃力Ｆ１は、ガイド部１４が上述のようにＸ方向に対して斜め方向に延在することに起因して、Ｘ方向に平行にならない。即ち、図１４に模式的に示すように、衝撃力Ｆ１は、Ｘ方向の成分Ｆ２と、Ｙ方向の成分Ｆ３とに分解される。従って、本実施例では、Ｘ方向の成分Ｆ２は、比較例による衝撃力Ｆよりも大きさが小さくなる。この結果、本実施例によれば、比較例に比べて、フランジ部３４における内Ｒ部位３１１の中心付近の応力集中部に発生する応力が低減され、破断へと至る可能性が低減される。このようにし本実施例によれば、フランジ部３４に加わる力の方向がＹ方向成分にも分散されるので、携帯キー１の落下時などにおける操作ノブ３０の破断を低減できる。
【００４１】
ここで、携帯キー１は、Ｘ方向に落下する以外にも、例えばＹ方向等、他の方向にも落下しうる。但し、携帯キー１は、上述のようにＸ方向が長手方向であるので、Ｘ方向に落下する形態が操作ノブ３０にとって最も厳しい形態となる（地面等からの荷重を受ける面積が小さくなるため）。従って、本実施例によれば、Ｘ方向以外の方向での落下に対しても、同様に携帯キー１の落下時などにおける操作ノブ３０の破断を低減できる。
【００４２】
尚、図１１では、代表として、２つの近接箇所Ｐにおいて、２つの上ケース１０ａのガイド部１４と操作ノブ３０のフランジ部３４との詳細な形状関係を説明したが、図１５に模式的に示すように、他の多数の近接箇所Ｐ（Ｑ部内の近接箇所）においても同様の形状関係が実現されてよい。このとき、ノブガイド部材９０のガイド部９４についても、ガイド部１４と同様に扱うことができる。
【００４３】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００４４】
例えば、上述した実施例では、フランジ部３４の角部３１０は、内Ｒ形状で形成された内Ｒ部位３１１と、外Ｒ形状で形成された外Ｒ部位３１２，３１３とを含むが、これに限られない。例えば、図１６に示すように、フランジ部３４Ａの角部３１０Ａは、外Ｒ形状で形成された外Ｒ部位３１２Ａ（第１部位の一例）のみを有してもよい。この場合、ガイド部１４Ａは、図１６に示すように、平面視（Ｚ方向に視て）で、Ｘ方向に対して傾斜した方向Ｄに延在する。方向Ｄは、好ましくは、図１６に示すように、Ｘ方向に対して約４５度をなす。この場合も、上述した実施例と同様の効果を得ることができる。
【００４５】
本願は、日本特許庁に2017年3月14日に出願された基礎出願2017-049177号の優先権を主張するものであり、その全内容を参照によりここに援用する。
【符号の説明】
【００４６】
１  携帯キー
１０  筐体
１０ａ  上ケース
１０ｂ  下ケース
１２  開口部
１４  ガイド部
１４Ａ  ガイド部
３０  操作ノブ
３２  操作部
３４  フランジ部
５０  防水シート
５２  ドーム状部位
７０  電子部品
７２  電子部品
９０  ノブガイド部材
９２  梁部
９３  梁部
９４  ガイド部
９６  梁部
１４１  壁部
３１０  角部
３１０Ａ  角部
３１１  内Ｒ部位
３１２  外Ｒ部位
３１２Ａ  外Ｒ部位
３１３  外Ｒ部位
３４１  フランジ部
【図１】
0006681514.tif 000002
【図２】
0006681514.tif 000003
【図３】
0006681514.tif 000004
【図４】
0006681514.tif 000005
【図５】
0006681514.tif 000006
【図６】
0006681514.tif 000007
【図７】
0006681514.tif 000008
【図８】
0006681514.tif 000009
【図９】
0006681514.tif 000010
【図１０】
0006681514.tif 000011
【図１１】
0006681514.tif 000012
【図１２】
0006681514.tif 000013
【図１３】
0006681514.tif 000014
【図１４】
0006681514.tif 000015
【図１５】
0006681514.tif 000016
【図１６】
0006681514.tif 000017